(57)【要約】【課題】塩に添加物等を使用したり、固結防止のために特別に作業を行ったりしなくても、塩を振り出す際の作業のみで塩が固結することを防止、又は解消できる塩の小出し容器を得る。【解決手段】塩Sが収容され、上面に開口４を有する有底状の収容部２と、収容部２の上面開口４に着脱可能に装着され、複数の小穴５が形成された内蓋部７と、複数の小穴５を全て覆って収容部２を密閉する外蓋部６と、収容部２内に収容され、小穴５から抜けでない大きさとされるとともに、収容部２に対して振り出し方向に相対移動可能な長さとされ、細長い軸状とされた固結防止具３とから塩の小出し容器１を構成した。【選択図】図３
0003131064.tif 000002
【実用新案登録請求の範囲】
【請求項１】
粉末状の塩が収容され、上面に開口を有する有底状の収容部と、
該収容部の上面開口に着脱可能に装着され、前記塩を振り出すための複数の小穴が形成された内蓋部と、
該複数の小穴を全て覆って前記収容部内の塩を密閉する外蓋部と、
前記収容部内に前記塩とともに収容され、前記内蓋部の小穴から抜けでない大きさとされるとともに、前記収容部に対して振り出し方向に相対移動可能な長さとされ、前記収容部内における前記塩の振り出し方向の移動を妨げないように細長い軸状とされた固結防止具と、
からなることを特徴とする塩の小出し容器。
【請求項２】
前記固結防止具の前記内蓋部側の部分を、前記内蓋部の小穴内を挿通可能な形状としてなる請求項１記載の塩の小出し容器。
【請求項３】
前記固結防止具を吸湿作用のある材料により形成してなる請求項１又は２記載の塩の小出し容器。
【考案の詳細な説明】
【技術分野】
【０００１】
本考案は、塩の固結を防止又は解消する塩の小出し容器に関するものである。さらに詳しくは、細長い軸状の固結防止具を小出し容器内に備えたことにより、食塩等の固結を防止でき、固結した場合にもこれを解消できるものとした塩の小出し容器に関するものである。
【背景技術】
【０００２】
塩は、保存環境中の温湿度が変化すると結晶の表面で水分の吸収、放出を繰り返し、高湿度の場合に水分を吸収して結晶表面が溶解し、低湿度の場合に水分が結晶表面から放出され、放出時に新たに塩の微結晶が析出し、析出した微結晶が結晶間を架橋することによって固結することが知られている（Ｄ．Ｗ．ＫＡＵＦＭＡＮＮ Ｅｄｉ．（財）ソルト・サイエンス研究財団監訳；「塩化ナトリウム」、４６８（１９９３））。塩では、その結晶表面での２５℃における吸湿、放湿の現象が生ずる境目の環境湿度は相対湿度７５％で、我が国においては通常の環境条件でこの相対湿度を上下しており、故に塩の取扱いにおいて固結現象の発生が多く見られる。固結が起こると塩の商品性を損なうため、これまで種々の固結防止手段が提案されてきた。
【０００３】
例えば、塩の結晶表面をトレハロースで被覆することにより塩の固結を防止する方法（例えば、特許文献１参照。）や、容器の中蓋にかき混ぜ棒をとりつけたもの（例えば、特許文献２参照。）等が知られている。
【特許文献１】特開２０００−２３３９２３号公報
【特許文献２】実開平０７−０１６６７３号公報
【考案の開示】
【考案が解決しようとする課題】
【０００４】
しかし、塩の結晶表面を被覆することで塩の固結を防止するトレハロースは糖質であり、甘味度がショ糖の約１／２の甘味を有するものであるため、調味料である食塩等に使用することにより、その塩本来の味を害するという問題点がある。
また、中蓋にかき混ぜ棒をとりつけたものは、固結を防止するためには定期的に中蓋を手動で回転させる必要があり、作業が煩雑なものとなるうえに、容器の構造も複雑になるという問題点がある。
【０００５】
本考案は、このような課題を解決するためになされたものであり、塩の保存に添加物等を使用せず、また、固結防止のために特別に作業を行わなくても、塩を振り出す際の作業のみで塩が固結することを防止でき、さらに固結してもこれを解消できる塩の小出し容器を提供することを目的とする。
【課題を解決するための手段】
【０００６】
本考案に係る塩の小出し容器は、前述の課題解決のために、粉末状の塩が収容され、上面に開口を有する有底状の収容部と、該収容部の上面開口に着脱可能に装着され、前記塩を振り出すための複数の小穴が形成された内蓋部と、該複数の小穴を全て覆って前記収容部内の塩を密閉する外蓋部と、前記収容部内に前記塩とともに収容され、前記内蓋部の小穴から抜けでない大きさとされるとともに、前記収容部に対して振り出し方向に相対移動可能な長さとされ、前記収容部内における前記塩の振り出し方向の移動を妨げないように細長い軸状とされた固結防止具とからなるものである。
【０００７】
ここで、前記固結防止具の前記内蓋部側の部分を、前記内蓋部の小穴内を挿通可能な形状とすると好ましい。
【０００８】
また、前記固結防止具を吸湿作用のある材料により形成してもよい。
【考案の効果】
【０００９】
本考案に係る固結防止具は、粉末状の塩が収容され、上面に開口を有する有底状の収容部と、該収容部の上面開口に着脱可能に装着され、前記塩を振り出すための複数の小穴が形成された内蓋部と、該複数の小穴を全て覆って前記収容部内の塩を密閉する外蓋部と、前記収容部内に前記塩とともに収容され、前記内蓋部の小穴から抜けでない大きさとされるとともに、前記収容部に対して振り出し方向に相対移動可能な長さとされ、前記収容部内における前記塩の振り出し方向の移動を妨げないように細長い軸状とされた固結防止具とからなるようにしたため、塩の固結防止及び解消のために特別に作業を行わなくても、通常の塩の振り出し作業により、小出し容器内で塩と固結防止具が相対運動し、これにより塩と固結防止具が摩擦又は衝突をすることとなる。したがって、塩の振り出し作業を行うたびに、小出し容器内の塩と固結防止具の摩擦又は衝突が生じることなり、塩の固結を防止又は解消することができる。
【００１０】
しかも、固結防止具は前記内蓋部の小穴から抜けでない大きさとされるとともに、前記収容部に対して振り出し方向に相対移動可能な長さとされ、前記収容部内における前記塩の振り出し方向の移動を妨げないようにしたため、固結防止具が振り出し作業により内蓋部の小穴から外に飛び出すことがなく、また、固結防止具自体が大きすぎて小出し容器の容量を圧迫してしまうこともなく、小出し容器として必要な機能を十分に果たすことができる。さらに、細長い軸状にしたことにより、塩にも差し込みやすく、振り出し作業によって塩を振り出す際にも、塩の移動を妨げることなく円滑に塩を振り出すことができる。
【００１１】
また、以上のようにしてなる塩の小出し容器は、内蓋部が該収容部の上面開口に着脱可能に装着されているため、小出し容器の中にある固結防止具を容易に取り出すことができ、振り出し作業のみでは解消できない固結した塩がある場合にも、該収容部に装着された内蓋部を取り外し、該収容部の中の固結防止具を取り出して指で支持し、固結した塩を押しつぶすなどして破砕することにより解消できる。さらに、固結防止具の位置調整や入れ替えなども容易に行うことができる。
【００１２】
また、前記固結防止具の前記内蓋部側の部分を、前記内蓋部の小穴内を挿通可能な形状とすることにより、たとえば、前記内蓋部の小穴に詰まった塩により、塩が排出できなくなった場合でも、塩の振り出し作業の際に、収容部内に置かれた固結防止具が塩と同様に小出し容器内を前記内蓋部の小穴に対して相対移動し、詰まった塩に対しても固結防止具の前記内蓋部側の部分が衝突することとなり、これにより詰まった塩を排出できる。このとき、固結防止具は前記内蓋部の小穴から抜けでない大きさとしたため、固結防止具の前記内蓋部側の部分は小出し容器から露出しても、固結防止具が収容部から完全に飛び出すことはなく、また、塩の振り出し作業を行うことによって、又は小穴から出た固結防止具の一部を小出し容器に押し入れることによって、容易に収容部内に戻すことができる。
【００１３】
また、前記固結防止具を吸湿作用のある材料により形成してなるものとすることにより、小出し容器内の湿気をおさえ、固結を予防することができる。さらに、収容部の内底部あたりまで固結防止具を差し込むことによって収容部に充填された塩の上部のみだけでなく下部の湿気もおさえ、小出し容器内の塩全体の固結を防止することができる。
【考案を実施するための最良の形態】
【００１４】
次に、本考案の実施の形態を添付図面に基づいて説明するが、本考案は、添付図面に示された形態に限定されず実用新案登録請求の範囲に記載の要件を満たす実施形態の全てを含むものである。つまり、本考案に係る塩の小出し容器は、粉末状の塩が収容され、上面に開口を有する有底状の収容部と、該収容部の上面開口に着脱可能に装着され、前記塩を振り出すための複数の小穴が形成された内蓋部と、該複数の小穴を全て覆って前記収容部内の塩を密閉する外蓋部と、前記収容部内に前記塩とともに収容され、前記内蓋部の小穴から抜けでない大きさとされるとともに、前記収容部に対して振り出し方向に相対移動可能な長さとされ、前記収容部内における前記塩の振り出し方向の移動を妨げないように細長い軸状とされた固結防止具とからなることを特徴とするものである。
【００１５】
図１〜図３は、本考案に係る塩の小出し容器１の構成を示す説明図であり、図１は固結防止具３を入れた塩の小出し容器の斜視図、図２は縦断面図、図３は分解斜視図である。
図１〜図３に示すように、本考案に係る塩の小出し容器１は、上面に開口４を有する収容部２に２個の固結防止具３を該固結防止具３の該内蓋部７側の部分が開口４側になるように入れ、塩Sを収容部２に充填し、複数の小穴５を設けた内蓋部７で閉口して、さらに該複数の小穴５を覆う外蓋部６により構成する。
【００１６】
このとき、固結防止具３は細長い軸状であるため、収容部２に充填された塩Sに差し込みやすく、また、その径は内蓋部７の小穴５の径よりも大きいものであるため、振り出し作業によって小出し容器１の外に飛び出すことがない。さらに、該固結防止具３の該内蓋部７側の部分が先鋭となっていることにより、例えば、内蓋部７の内面８で固着して小穴５より排出されなくなっている塩Sがある場合に、塩Sの振り出し作業の際に、塩Sと同様に固結防止具３も小出し容器１内において振られることとなり、内蓋部７側へ固結防止具３が振られたときに、この内蓋部７の内面８固着して小穴５より排出されなくなっている塩Sに衝突し、固結した塩Sを破砕し、塩Sの固結を防止及び解消することができる。また、小穴５内に固結した塩Sがある場合にも、塩の振り出し業の際に、該固結防止具３の該内蓋部７の部分が該小穴５内にも入り込み、固結した塩Sを破砕又は排出することによって、これを解消することができる。
【００１７】
図４は、本考案に係る塩の小出し容器１の使用状態を説明した参考図であり、塩の小出し容器１は、小出し容器１を傾け内蓋部７の複数の小穴５から塩Sが出るように塩Sの入った容器を内蓋部７側と収容部２の内底部９側に交互に振ることによって、塩Sが振り出される。このとき、塩Sと同様に固結防止具３も小出し容器１内において振られることとなり、内蓋部７側へ固結防止具３が振られたときに、該固結防止具３の該内蓋部７側の部分が内蓋部７の内面８で固着して小穴５より排出されなくなっている塩Sに衝突し、塩Sの固結を防止及び解消することができる。また、固結防止具３は細長い軸状であるため、振り出し作業による塩Sの移動を邪魔することなく、塩Sは円滑に振り出されることとなる。
【００１８】
ここで、固結防止具３の形状は、実施例に示した形状に限られず、前記収容部２内に前記塩Sとともに収容され、前記内蓋部７の小穴５から抜けでない大きさとされるとともに、前記収容部２に対して振り出し方向に相対移動可能な長さとされ、前記収容部２内における前記塩Sの振り出し方向の移動を妨げないように細長い軸状とされたものであればよいが、例えば、図５に示すように、(a)一端が先鋭となっているもの、(b)一端から他端まで一様な軸状のもの、(c)両端が先鋭となっているもの等でもよく、また、図５に示すように固結防止具３の端の形状が先鋭となっていなくても、前記内蓋部７の小穴５を通る形状になっているものでもよい。また、固結防止具３の一部又は全部を凹凸や、波型等の形状にしたものでもよい。また、固結防止具３の断面形状も図示した円状のものに限られず、楕円、多角形状のものでもよく、さらに、中空状のものでもよい。
【００１９】
さらに、この振り出し作業においても解消できない塩Sの固結があるときは、内蓋部７をあけ収容部２に充填された塩Sの中に入っている固結防止具３を抜き出して指Fで支持し、固結した塩Sを押しつぶすなどして破砕することにより解消できる。
【００２０】
以上の説明においては、収容部２に２個の固結防止具を入れると説明したが、１個又は３個以上であってもよい。また、外蓋部６も図示したように着脱可能なものでなくても、内蓋部７に対して開閉自在、且つ、内蓋部７と一体形成されたものなど、少なくとも該内蓋部７に形成された小穴５を覆って前記収容部内の塩Sの密閉するものであればよい。複数の小穴５も内蓋部７に設けるのではなく収容部２に設けてもよい。また、中に入れるものは塩Sだけではなく他の調味料等であってもよい。
【００２１】
また、固結防止具３は吸湿作用のあるもの、例えば木材、竹等を材料として形成されてもよく、吸湿作用のある材料により形成されることにより、塩Sの中に固結防止具３を収容部２の内底部９近くまで差し込むため、固結防止具３の吸湿作用が小出し容器１内の内蓋部７側だけでなく、収容部２の内底部９のほうにも作用し、小出し容器１の中の塩S全体の固結を防止することができる。また、それ以外の吸湿作用のないもの、例えば樹脂、強化ガラス、金属等によって形成されてもよい。
【図面の簡単な説明】
【００２２】
【図１】本考案に係る塩の小出し容器の斜視図である。
【図２】図１の縦断面図である。
【図３】本考案に係る塩の小出し容器の分解斜視図である。
【図４】本考案に係る塩の小出し容器の実施の形態を示す参考斜視図である。
【図５】固結防止具の形状例を示す参考図であり、(a)は一端が先鋭となっているもの、(b)は一端から他端まで一様な軸状のもの、(c)は両端が先鋭となっているものである。
【符号の説明】
【００２３】
１     小出し容器
２     収容部
３     固結防止具
４     開口
５     小穴
６     外蓋部
７     内蓋部
８     内蓋部の内面
９     収容部の内底部
F      指
S      塩
【図１】
0003131064.tif 000003
【図２】
0003131064.tif 000004
【図３】
0003131064.tif 000005
【図４】
0003131064.tif 000006
【図５】
0003131064.tif 000007